【手続補正書】
【提出日】平成15年7月8日(2003.7.8)
【手続補正１】
【補正対象書類名】明細書
【補正対象項目名】特許請求の範囲
【補正方法】変更
【補正の内容】
【特許請求の範囲】
【請求項１】
上端部が開放し且つ下方部が閉鎖した竪穴を有した直立状態の筒状ティーと、該ティーの竪穴内部に通路を経て連通して空気流を供給する空気流供給手段と、上記ティーの上端部にゴルフ練習のゴルフボールを置くゴルフボール設置手段と、該ゴルフボール設置手段によって上記ティーの上端部にゴルフボールが置かれて上記通路内での空気流が実質的に止まったのを検出して空気流停止検出信号を出力すると共に上記ティーの上端部にゴルフボールが無い状態で上記通路内を流れる空気流を検出して空気流検出信号を出力する検出手段と、該検出手段からの上記空気流停止検出信号及び上記空気流検出信号を受信する制御手段とから構成され、
上記検出手段は、上記通路内において揺動可能に軸支持され空気流によって空気流存在位置に揺動され且つ上記通路内における空気流が実質的に止まることで空気流不存在位置に戻される移動部材と、該移動部材が空気流存在位置に揺動されると上記空気流検出信号を出力すると共に該移動部材が空気流不存在位置に戻されると上記空気流停止検出信号を出力する検出ユニットとからなることを特徴とするゴルフ練習のティー装置。
【請求項２】
上記移動部材は、上記通路内において揺動可能に軸支持され且つ突起を備えたバタフライ板から構成されており、また上記検出ユニットは、上記バタフライ板の突起によって光の通過と遮断が制御される光センサーユニットから構成されている請求項１記載のティー装置。
【請求項３】
上記ゴルフボール設置手段は、上記制御手段が空気流停止検出信号を受信すると、該制御手段によって、設置されたゴルフボールが上記ティーの上端部から無くなるまで次のゴルフボールの設置作動が停止されるように構成されている請求項１記載のティー装置。
【請求項４】
上記ティーは、昇降手段に連結されており、上記制御手段が上記空気流停止検出信号を受信すると、該制御手段は、上記昇降手段を上昇作動させ、また上記制御手段が上記空気流検出信号を受信すると、該制御手段は、上記昇降手段を下降作動させる請求項１記載のティー装置。
【手続補正２】
【補正対象書類名】明細書
【補正対象項目名】０００５
【補正方法】変更
【補正の内容】
【０００５】
【課題を解決するための手段】
上記の目的を達成するために本発明の請求項１に係るゴルフ練習のティー装置は、上端部が開放し且つ下方部が閉鎖した竪穴を有した直立状態の筒状ティーと、該ティーの竪穴内部に通路を経て連通して空気流を供給する空気流供給手段と、上記ティーの上端部にゴルフ練習のゴルフボールを置くゴルフボール設置手段と、該ゴルフボール設置手段によって上記ティーの上端部にゴルフボールが置かれて上記通路内での空気流が実質的に止まったのを検出して空気流停止検出信号を出力すると共に上記ティーの上端部にゴルフボールが無い状態で上記通路内を流れる空気流を検出して空気流検出信号を出力する検出手段と、該検出手段からの上記空気流停止検出信号及び上記空気流検出信号を受信する制御手段とから構成され、上記検出手段は、上記通路内において揺動可能に軸支持され空気流によって空気流存在位置に揺動され且つ上記通路内における空気流が実質的に止まることで空気流不存在位置に戻される移動部材と、該移動部材が空気流存在位置に揺動されると上記空気流検出信号を出力すると共に該移動部材が空気流不存在位置に戻されると上記空気流停止検出信号を出力する検出ユニットとから構成されているために、ティーの上端部にゴルフボールが置かれること自体が直接的にティーの竪穴内部へ通じている通路内での空気流供給手段からの空気流を実質的止めることになり、ティー上でのゴルフボールの存在と不存在が直接的に検出手段によって検出される。即ち、検出手段は、ティーの上端部にゴルフボールが無いゴルフボール不存在検出信号として空気流検出信号を、またティーの上端部にゴルフボールが在るゴルフボール存在検出信号として空気停止流検出信号をそれぞれ制御手段に出力でき、制御手段は、それら検出信号を受信してゴルフボールのティー上への供給やティーの上下動を制御できるようになる。また、通路に設置されることが多い検出手段は、ティーから離れて、少なくとも従来問題になっていた外乱要因の影響を受けにくい場所に設置可能になって、高い信頼性の下でティー上のゴルフボールの確認を行うことができると共に、空気流自体に清掃性が有るので空気流供給手段や検出手段の保守が楽である。


【手続補正３】
【補正対象書類名】明細書
【補正対象項目名】０００６
【補正方法】変更
【補正の内容】
【０００６】
また、上記移動部材は、ティー上でのゴルフボールの存在と不存在が直接的に応答し、上記検出手段もこの移動部材の上記両位置での検出が、光センサーをはじめ電界センサーや磁気センサーや超音波センサー等色々な検出ユニットによって確実に且つ容易に検出できるようになる。


【手続補正４】
【補正対象書類名】明細書
【補正対象項目名】０００７
【補正方法】変更
【補正の内容】
【０００７】
請求項２記載のように、上記移動部材は、上記通路内において揺動可能に軸支持され且つ突起を備えたバタフライ板から構成され、また上記検出ユニットは、上記バタフライ板の突起によって光の通過と遮断が制御される光電管等の光センサーユニットから構成されるために、構成が簡便な上に検出の信頼性が高く、保守が楽であり、特にバタフライ板の支持軸を通路を成す管路の外部に出すと、適時支持軸を指先で揺動させて保守ができ、また該管路に光センサーを着脱可能なユニットとして組み込めるので保守点検が容易になる。


【手続補正５】
【補正対象書類名】明細書
【補正対象項目名】０００８
【補正方法】変更
【補正の内容】
【０００８】
請求項３記載のように、上記ゴルフボール設置手段は、上記制御手段が空気流停止検出信号を受信すると、該制御手段によって、設置されたゴルフボールが上記ティーの上端部から無くなるまで次のゴルフボールの設置作動が停止されるように構成され、打撃によってゴルフボールがティー上端部から無くならない限りゴルフボールの置き作動が停止されてボールの重複供給が防止され、従来通り練習者は余裕を持って打撃練習ができる。


【手続補正６】
【補正対象書類名】明細書
【補正対象項目名】０００９
【補正方法】変更
【補正の内容】
【０００９】
請求項４記載のように、上記ティーは、昇降手段に連結されており、上記制御手段が上記空気流停止検出信号を受信すると、該制御手段は、上記昇降手段を上昇作動させ、また上記制御手段が上記空気流検出信号を受信すると、該制御手段は、上記昇降手段を下降作動させる構成にすることができる。これにより、ゴルフボールのティー上端部への供給が床下で行われる場合に、制御手段は、昇降手段を制御して、ティー上端部上にゴルフボールが置かれて空気流停止検出信号を受信すると練習者が打撃できるようにティー上にボールを載せたまま床上に自動的に上昇させ、打撃後にティー上端部からゴルフボールが無くなって空気流検出信号を受信すると次のゴルフボールの供給を受けるべくティーを床下に自動的に下降させることができる。


【手続補正７】
【補正対象書類名】明細書
【補正対象項目名】００２１
【補正方法】変更
【補正の内容】
【００２１】
【発明の効果】
以上の説明から明らかのように、本発明の請求項１に係るゴルフ練習のティー装置によれば、上端部が開放し且つ下方部が閉鎖した竪穴を有した直立状態の筒状ティーと、該ティーの竪穴内部に通路を経て連通して空気流を供給する空気流供給手段と、上記ティーの上端部にゴルフ練習のゴルフボールを置くゴルフボール設置手段と、該ゴルフボール設置手段によって上記ティーの上端部にゴルフボールが置かれて上記通路内での空気流が実質的に止まったのを検出して空気流停止検出信号を出力すると共に上記ティーの上端部にゴルフボールが無い状態で上記通路内を流れる空気流を検出して空気流検出信号を出力する検出手段と、該検出手段からの上記空気流停止検出信号及び上記空気流検出信号を受信する制御手段とから構成され、上記検出手段は、上記通路内において揺動可能に軸支持され空気流によって空気流存在位置に揺動され且つ上記通路内における空気流が実質的に止まることで空気流不存在位置に戻される移動部材と、該移動部材が空気流存在位置に揺動されると上記空気流検出信号を出力すると共に該移動部材が空気流不存在位置に戻されると上記空気流停止検出信号を出力する検出ユニットとから構成されているために、ティーの上端部にゴルフボールが置かれること自体が直接的にティーの竪穴内部へ通じている通路内での空気流供給手段からの空気流を実質的止めることになり、ティー上でのゴルフボールの存在と不存在が直接的に検出手段によって検出される。制御手段は、ゴルフボール不存在検出信号としての空気流検出信号や、ゴルフボール存在検出信号としての空気停止流検出信号を受信してゴルフボールのティー上への供給やティーの上下動を制御できるようになる。また、通路に設置されることが多い検出手段は、ティーから離れて、少なくとも従来問題になっていた外乱要因の影響を受けにくい場所に設置可能になって、高い信頼性の下でティー上のゴルフボールの確認を行うことができ、また空気流自体に清掃性が有るので空気流供給手段や検出手段の保守が楽である。


【手続補正８】
【補正対象書類名】明細書
【補正対象項目名】００２２
【補正方法】変更
【補正の内容】
【００２２】
さらに、上記移動部材は、ティー上でのゴルフボールの存在と不存在が直接的に応答し、上記検出手段もこの移動部材の上記両位置での検出が、光センサーをはじめ電界センサーや磁気センサーや超音波センサー等色々な検出ユニットによって確実に且つ容易に検出できるようになる。


【手続補正９】
【補正対象書類名】明細書
【補正対象項目名】００２３
【補正方法】変更
【補正の内容】
【００２３】
請求項２記載のゴルフ練習のティー装置によれば、上記移動部材は、上記通路内において揺動可能に軸支持され且つ突起を備えたバタフライ板から構成され、また上記検出器は、上記バタフライ板の突起によって光の通過と遮断が制御される光電管等の光センサーから構成されるために、構成が簡便な上に検出の信頼性が高く、保守が楽であり、特にバタフライ板の支持軸を通路を成す管路外部に出すと、適時支持軸を指先で揺動させて保守ができ、また該管路に光センサーを着脱可能なユニットとして組み込めるので保守点検が容易になる。


【手続補正１０】
【補正対象書類名】明細書
【補正対象項目名】００２４
【補正方法】変更
【補正の内容】
【００２４】
請求項３記載のゴルフ練習のティー装置によれば、上記ゴルフボール設置手段は、上記制御手段が空気流停止検出信号を受信すると、該制御手段によって、設置されたゴルフボールが上記ティーの上端部から無くなるまで次のゴルフボールの設置作動が停止されるように構成されるために、打撃によってゴルフボールがティー上端部から無くならない限りゴルフボールの置き作動が停止されてボールの重複供給が防止され、従来通り練習者は余裕を持って打撃練習ができる。


【手続補正１１】
【補正対象書類名】明細書
【補正対象項目名】００２５
【補正方法】変更
【補正の内容】
【００２５】
請求項４記載のゴルフ練習のティー装置によれば、上記ティーは、昇降手段に連結されており、上記制御手段が上記空気流停止検出信号を受信すると、該制御手段は、上記昇降手段を上昇作動させ、また上記制御手段が上記空気流検出信号を受信すると、該制御手段は、上記昇降手段を下降作動させるために、ゴルフボールのティー上端部への供給が床下で行われる場合に、制御手段は、昇降手段を制御して、ティー上端部上にゴルフボールが置かれて空気流停止検出信号を受信すると練習者が打撃できるようにティー上にボールを載せたまま床上に自動的に上昇させ、打撃後にティー上端部からゴルフボールが無くなって空気流検出信号を受信すると次のゴルフボールの供給を受けるべくティーを床下に自動的に下降させることができる。